【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
既知の位置から発信する位置データ項目が、近距離通信によって、エンティティに送られ、該エンティティ間において広められる、位置情報の伝播方法であって、
各位置データ項目に、指定の前記既知の位置から前記位置データ項目が移動する距離に関する上限値を表した距離関連量が含まれることと、
前記エンティティが、これらの位置データ項目の認知される移動を考慮して、取り扱う位置データ項目の距離関連量を更新することと
を含む、位置情報の伝播方法。
【請求項２】
移動エンティティである前記エンティティが、前記位置データ項目を保持している間における前記エンティティの移動距離に対応する量だけ、取り扱う位置データ項目または各位置データ項目の距離関連量を増す、請求項１に記載の方法。
【請求項３】
前記位置データ項目の距離関連量が、２つのエンティティ間における各伝送ホップ毎に、送信エンティティの送信範囲に関連した量だけ増す、請求項１に記載の方法。
【請求項４】
移動エンティティである前記エンティティが、前記位置データ項目を保持している間における前記エンティティの移動距離に対応する量と、前記移動エンティティによる前記位置データ項目の受信及び送信の一方に関する前記送信エンティティの送信範囲に関連した量とだけ、取り扱う位置データ項目または各位置データ項目の距離関連量を増す、請求項１に記載の方法。
【請求項５】
前記エンティティが、位置データ項目を受信した結果として知っている上限値に同時に一致するか、または、ほぼ一致する位置を求めることによって、その位置を決定する、請求項１から４のいずれかに記載の方法。
【請求項６】
前記エンティティが、その位置を決定する際、前記位置データ項目を前記移動エンティティに送る方法に関して１つ以上の経路制約条件を適用する、請求項５に記載の方法。
【請求項７】
エンティティが、現在近くにある送信エンティティから、それぞれ、指定の既知の位置までの上限距離を表した距離関連量を含む位置データ項目を受信することと、
前記位置データ項目の認知される移動を考慮して、各位置データ項目の前記距離関連量を更新することによって、前記受信位置データ項目を保守することと、
前記エンティティに分かっている上限距離に同時に一致するか、または、ほぼ一致するのがどの位置かを決定することによって、位置決定を実施することと
を含む、位置発見方法。
【請求項８】
移動エンティティである前記エンティティが、前記位置データ項目を保持している間における前記エンティティの移動距離に対応する量だけ、位置データ項目または各位値データ項目の距離関連量を増すことによって、受信した位置データを保守する、請求項７に記載の方法。
【請求項９】
前記移動エンティティが、近距離トランシーバ及び走行距離計を備えた車両であり、前記車両は、前記走行距離計によって表示されるその移動距離だけ、その位置データ項目の距離関連量を増すものである、請求項８に記載の方法。
【請求項１０】
前記移動エンティティが、近距離トランシーバを備えた移動装置を携行する歩行者であることと、
前記装置が、速度値及び経過時間に基づいて前記歩行者が進んだと思われる最長距離の推定を実施することと、
前記装置が、前記歩行者が進んだと思われる最長距離の前記推定値だけ、その位置データ項目の距離関連量を増すことと
を含む、請求項８に記載の方法。
【請求項１１】
前記速度が、前記歩行者が前記位置決定動作によって決定された位置間の移動に要する時間に基づいて、前記装置によって時間の経過につれて判定される前記歩行者の最高速度である、請求項１０に記載の方法。
【請求項１２】
前記速度が、歩行者が歩く標準的な最高速度であって、
前記装置が、歩行者が既知の位置の位置間において移動に要する時間に基づいて、前記歩行者の現在の速度をモニタすることと、
前記歩行者の現在の速度が前記標準的な最高速度を超える場合には、前記移動エンティティから他の前記エンティティへの位置データ項目の転送を阻止することと
を含む、請求項１０に記載の方法。
【請求項１３】
前記エンティティが、エンティティによる位置データ項目の受信及び送信の一方に関する送信エンティティの送信範囲に関連した量だけ、前記位置データの距離関連量を増すことによって、それが受信した位置データ項目を保持する、請求項７に記載の方法。
【請求項１４】
前記エンティティが、位置データ項目を別のエンティティに送信する直前に、前記項目の距離関連量を増す、この増量は、固定送信距離値だけ行われる、請求項１３に記載の方法。
【請求項１５】
前記エンティティが、前記送信エンティティに関する範囲値の何分の一かだけ、別のエンティティから受信した位置データ項目の距離関連量を増す、この何分の一かは、受信信号強度に基づき、受信エンティティによって決定される、請求項１３に記載の方法。
【請求項１６】
前記エンティティが、別のエンティティに遭遇すると、前に受信した位置データ項目に関連する距離関連量を更新した後で、これらの項目をその別のエンティティに渡す、請求項７、８、または１３に記載の方法。
【請求項１７】
前記エンティティが、その位置を決定する際、前記移動エンティティに位置データ項目を送る方法に関して１つ以上の経路制約条件を適用する、請求項７、８、または１３に記載の方法。
【請求項１８】
前記エンティティが、その位置を決定する際、前記上限距離が、関係する既知の位置からの所定の経路に沿った距離であるという制約条件を適用する、請求項１７に記載の方法。
【請求項１９】
前記エンティティが、その位置を決定する際、前記上限距離が、特定のゾーンを回避する不確定経路に沿った距離であるという制約条件を適用する、請求項１７に記載の方法。
【請求項２０】
最良の位置推定が、可能性のある位置領域の頂点に関連した平均に基づいて、その領域内において導き出される、請求項７、８、または１３に記載の方法。
【請求項２１】
現在近くにある送信エンティティから、それぞれ、既知の位置までの上限距離に関するいくつかの位置データ項目を受信するための近距離受信器と、
前記受信データ項目を記憶するためのメモリと、
前記移動エンティティが進む距離を測定または推定するための距離サブシステムと、
前記問題となるデータ項目の受信または最後の更新以降に、前記距離サブシステムによって測定または推定された距離だけ、各データ項目に関連した前記上限距離を増すことによって、前記受信データ項目を更新するための更新装置と、
前記移動エンティティに分かっている前記上限距離と同時に一致するか、または、ほぼ一致するのがどの位置かを決定する働きをする位置決定装置と
を備える、位置発見システムが設けられた移動エンティティ。
【請求項２２】
現在近くにある送信エンティティから、それぞれ、既知の位置までの上限距離に関する複数の位置データ項目を受信するための近距離受信器と、
前記受信データ項目を記憶するためのメモリと、
前記エンティティによる前記位置データ項目の受信及び送信の一方に関する前記送信エンティティの送信距離に関連した量だけ、各データ項目に関連した前記上限距離を増すことによって、前記受信データ項目を更新するための更新装置と、
前記移動エンティティに分かっている前記上限距離と同時に一致するか、または、ほぼ一致するのがどの位置かを決定する働きをする位置決定装置と
を備える、位置発見システムが設けられたエンティティ。